(57)【要約】【課題】この発明は、背景が黒で、低階調〜中間階調のウィンドゥ状の映像が表示される際に、ＰＤＰモジュール内の映像信号処理部内で行なわれる誤差拡散処理やディザ処理の影響により、ウィンドゥ状の映像内部が規則的な模様状に発光するといった現象が発生するのを回避することができるＰＤＰモジュールを備えた映像表示機器を提供することを目的とする。【解決手段】低階調部の階調表現を補強するための映像信号処理を行なう機能を有するＰＤＰモジュールと、映像入力信号に対して逆γ補正を行なうめたの逆γ補正手段とを備えた映像表示機器において、映像表示機器への映像入力信号の信号状態に応じて、逆γ補正手段の逆γ補正特性を制御する手段を備えている。【選択図】図４
2007114306.tif 000002
【特許請求の範囲】
【請求項１】
低階調部の階調表現を補強するための映像信号処理を行なう機能を有するＰＤＰモジュールと、映像入力信号に対して逆γ補正を行なうめたの逆γ補正手段とを備えた映像表示機器において、
映像表示機器への映像入力信号の信号状態に応じて、逆γ補正手段の逆γ補正特性を制御する手段を備えていることを特徴とする映像表示機器。
【請求項２】
低階調部の階調表現を補強するための映像信号処理を行なう機能を有するＰＤＰモジュールと、映像入力信号に対して逆γ補正を行なうめたの逆γ補正手段とを備えた映像表示機器において、
映像表示機器への映像入力信号の信号状態が信号有り状態であるか無信号状態であるかを判別する手段、
映像表示機器への映像入力信号の信号状態が信号有り状態である場合には、逆γ補正手段の逆γ補正特性を通常の第１の逆γ補正特性に設定させる手段、および
映像表示機器への映像入力信号の信号状態が無信号状態である場合には、逆γ補正手段の逆γ補正特性を、ＰＤＰモジュール内の映像信号処理に起因する模様状表示が発生しなくなるような第２の逆γ補正特性に設定させる手段、
を備えていることを特徴とする映像表示機器。
【請求項３】
第２の逆γ補正特性は、入力映像信号の低階調部を強制的に０にさせるような特性であることを特徴とする請求項２に記載の映像表示機器
【請求項４】
低階調部の階調表現を補強するための映像信号処理を行なう機能および当該機能をオンオフさせる機能を有するＰＤＰモジュールを備えた映像表示機器において、
映像表示機器への映像入力信号の信号状態が信号有り状態であるか無信号状態であるかを判別する手段、
映像表示機器への映像入力信号の信号状態が信号有り状態である場合には、ＰＤＰモジュールにおいて低階調部の階調表現を補強するための映像信号処理が行なわれるように、ＰＤＰモジュールを制御する手段、および
映像表示機器への映像入力信号の信号状態が無信号状態である場合には、ＰＤＰモジュールにおいて低階調部の階調表現を補強するための映像信号処理が行なわれないように、ＰＤＰモジュールを制御する手段、
を備えていることを特徴とする映像表示機器。
【発明の詳細な説明】
【技術分野】
【０００１】
この発明は、ＰＤＰModule( ＰＤＰモジュール) を備えた映像表示機器に関する。
【背景技術】
【０００２】
ＰＤＰ( プラズマディスプレイパネル) モジュールは、ＰＤＰパネルとＰＤＰパネル駆動回路と映像信号出力処理部とから構成されている。ＰＤＰモジュールでは、ＰＤＰパネル内の各セル内に設けられたＸ電極及びＹ電極間で維持放電現象を誘発させ、放電により発生した紫外線が各セル内のリブに塗布されたＲ／Ｇ／Ｂの蛍光体を励起することにより、維持発光が行なわれる。映像表現としての画面の明るさは、この維持放電の回数により、決定される。ＰＤＰパネルの駆動回路は、ＰＤＰパネル内の各セル内に設けられたＸ−Ｙ電極間に駆動電圧を印加する。映像信号出力処理部は、各セル内のＸ−Ｙ電極間の維持放電を制御する。
【０００３】
サブフィールド駆動方式を用いたＰＤＰモジュールでは、通常、１フィールド期間が１０個程度のサブフィールド（ＳＦ）で構成される。明るさの異なるＳＦを重ね合わせることにより、映像を表現している。１フィールドが８個のサブフィールドで構成されている場合、第１のサブフィールド〜第８のサブフィールドの明るさは、例えば、次のように設定される。
【０００４】
第１ＳＦの明るさ＝２0 の明るさ＝明るさのレベル”１”
第２ＳＦの明るさ＝２1 の明るさ＝明るさのレベル”２”
第３ＳＦの明るさ＝２2 の明るさ＝明るさのレベル”４”
第４ＳＦの明るさ＝２3 の明るさ＝明るさのレベル”８”
第５ＳＦの明るさ＝２4 の明るさ＝明るさのレベル”１６”
第６ＳＦの明るさ＝２5 の明るさ＝明るさのレベル”３２”
第７ＳＦの明るさ＝２6 の明るさ＝明るさのレベル”６４”
第８ＳＦの明るさ＝２7 の明るさ＝明るさのレベル”１２８”
【０００５】
１フィールド期間に、第１ＳＦ〜第８ＳＦを連続して発光させた場合には、１フィールド期間の明るさは、”２２５”となる。１フィールド期間に、８種類のＳＦを任意に組み合わせて発光させることにより、”０”〜”２２５”の階調を表現することが可能となる。
【０００６】
ＰＤＰモジュール内の映像信号処理部では、維持放電回数で表現できる階調数を補う為に、一般的に、誤差拡散処理やディザ処理が行なわれている。この結果、ＰＤＰモジュールの階調表現数は、純粋なセル内の維持放電回数の差による階調表現数と、映像信号出力処理部内で行なわれる誤差拡散処理およびディザ処理により追加表現される階調表現数とを合算した階調数となる。
【０００７】
ＰＤＰモジュール内の映像信号処理部への映像入力信号が１０bit （１０２３階調）である場合、例えば、純粋なセル内の維持放電回数の差による階調表現数である７００階調と、映像信号出力処理部内で行なわれる誤差拡散処理およびディザ処理により追加表現される階調表現数である３２３階調との合算により、１０２３階調が表現される。
【０００８】
ＰＤＰモジュールでは、一般的に低階調部（最大２５５階調とした場合、０〜１５０階調辺り）の階調表現を維持放電回数の差のみで表現することが技術的に困難であるため、低階調部に誤差拡散処理やディザ処理を加えることにより、最終的な階調表現数を確保している。
【０００９】
ところで、ＰＤＰモジュール内の映像信号処理部内で行なわれる誤差拡散処理やディザ処理の詳細な内容（アルゴリズム）は、各ＰＤＰモジュールの製造メーカ固有の技術であり、殆どの場合、映像表示機器の開発または製造メーカへは、情報開示されることはない。
【００１０】
映像表示機器の開発および製造メーカは、ＰＤＰモジュールの製造メーカからＰＤＰモジュールの供給を受け、映像表示機器内の各種回路とセット全体の筐体を設計開発することにより、映像表示機器を完成させている。このようにして完成した映像表示機器において、ＰＤＰモジュール内の映像信号処理部内で行なわれる誤差拡散処理やディザ処理が原因となって、ある映像表示条件において、ウインドウ状の映像内部が規則的な模様状に発光する現象が現れることが判明した。
【００１１】
ある映像条件とは、背景が黒で、低階調〜中間階調のウィンドゥ状の映像が表示させるという状況である。具体的には、デジタル放送の無信号時にチャンネルバナー表示映像が表示される場合やＡＶ入力（またはＰＣ入力）の無信号時に映像メニューが表示される場合が該当する。
【特許文献１】特開平６−５４１７３号公報
【発明の開示】
【発明が解決しようとする課題】
【００１２】
この発明は、背景が黒で、低階調〜中間階調のウィンドゥ状の映像が表示される際に、ＰＤＰモジュール内の映像信号処理部内で行なわれる誤差拡散処理やディザ処理の影響により、ウィンドゥ状の映像内部が規則的な模様状に発光するといった現象が発生するのを回避することができるＰＤＰモジュールを備えた映像表示機器を提供することを目的とする。
【課題を解決するための手段】
【００１３】
請求項１に記載の発明は、低階調部の階調表現を補強するための映像信号処理を行なう機能を有するＰＤＰモジュールと、映像入力信号に対して逆γ補正を行なうめたの逆γ補正手段とを備えた映像表示機器において、映像表示機器への映像入力信号の信号状態に応じて、逆γ補正手段の逆γ補正特性を制御する手段を備えていることを特徴とする。
【００１４】
請求項２に記載の発明は、低階調部の階調表現を補強するための映像信号処理を行なう機能を有するＰＤＰモジュールと、映像入力信号に対して逆γ補正を行なうめたの逆γ補正手段とを備えた映像表示機器において、映像表示機器への映像入力信号の信号状態が信号有り状態であるか無信号状態であるかを判別する手段、映像表示機器への映像入力信号の信号状態が信号有り状態である場合には、逆γ補正手段の逆γ補正特性を通常の第１の逆γ補正特性に設定させる手段、および映像表示機器への映像入力信号の信号状態が無信号状態である場合には、逆γ補正手段の逆γ補正特性を、ＰＤＰモジュール内の映像信号処理に起因する模様状表示が発生しなくなるような第２の逆γ補正特性に設定させる手段を備えていることを特徴とする。
【００１５】
請求項３に記載の発明は、請求項２に記載の発明において、第２の逆γ補正特性は、入力映像信号の低階調部を強制的に０にさせるような特性であることを特徴とする。
【００１６】
請求項４に記載の発明は、低階調部の階調表現を補強するための映像信号処理を行なう機能および当該機能をオンオフさせる機能を有するＰＤＰモジュールを備えた映像表示機器において、映像表示機器への映像入力信号の信号状態が信号有り状態であるか無信号状態であるかを判別する手段、映像表示機器への映像入力信号の信号状態が信号有り状態である場合には、ＰＤＰモジュールにおいて低階調部の階調表現を補強するための映像信号処理が行なわれるように、ＰＤＰモジュールを制御する手段、および映像表示機器への映像入力信号の信号状態が無信号状態である場合には、ＰＤＰモジュールにおいて低階調部の階調表現を補強するための映像信号処理が行なわれないように、ＰＤＰモジュールを制御する手段を備えていることを特徴とする。
【発明の効果】
【００１７】
この発明によれば、背景が黒で、低階調〜中間階調のウィンドゥ状の映像が表示される際に、ＰＤＰモジュール内の映像信号処理部内で行なわれる誤差拡散処理やディザ処理の影響により、ウィンドゥ状の映像内部が規則的な模様状に発光するといった現象が発生するのを回避できるようになる。
【発明を実施するための最良の形態】
【００１８】
以下、図面を参照して、この発明の実施例について説明する。
【実施例１】
【００１９】
図１は、映像表示機器の構成を示している。
【００２０】
映像表示機器１００は、アナログＴＶ放送を受信するためのアナログチューナ１およびデジタルＴＶ放送（ＢＳデジタル放送、ＣＳデジタル放送、地上波デジタル放送）を受信するためのデジタルチューナ２を備えている。また、ＤＶＤプレーヤ、ＶＨＳ  ＶＴＲ、ゲーム、デジタルムービからの映像ソースを入力するためのＡＶ入力端子、パソコンからの映像ソースを入力するためのＰＣ入力端子、デジカメからの映像ソースを入力するＳＤ入力端子等を備えている。
【００２１】
アナログチューナ１、デジタルチューナ２および各種映像入力端子から得られる映像信号は、入力信号切り替え回路３に送られる。映像ソースの指定は、ユーザがリモコン送信機６を操作することにより行なわれる。リモコン送信機６からのリモコン信号は、リモコン受光回路７を介してマイコン１０に送られる。マイコン１０は、ユーザによって指定された映像ソースを選択するように、入力信号切り替え回路３を制御する。
【００２２】
入力信号切り替え回路３によって選択された映像信号は、映像信号処理回路４に送られる。映像信号処理回路４は、逆γ補正回路４ａを備えている。映像信号処理回路４は、入力される映像信号に応じた走査変換処理（スケーリング処理）、逆γ補正処理等を行ない、映像信号をＬＶＤＳ信号に変換してＰＤＰモジュール２０に送る。
【００２３】
ＰＤＰモジュール２０は、Logic Board （映像信号出力処理部）２１、ＰＤＰパネル駆動回路２２およびＰＤＰパネル２３を備えている。Logic Board ２１は、逆γ補正回路２１ａを備えている。Logic Board ２１は、映像信号処理回路４から送られてきたＬＶＤＳ信号に対して、逆γ補正処理、誤差拡散処理やディザ処理等を行ない、ＰＤＰパネル駆動回路２２を駆動させるためのドライブ信号を生成して、ＰＤＰパネル駆動回路２２に与える。
【００２４】
ＰＤＰパネル駆動回路２２は、Logic Board ２１から与えられるドライブ信号に応じて、ＰＤＰパネル２３のガラス基板内に設けられた表示電極（Ｘ電極）、表示電極（Ｙ電極）およびＤＡＴＡ電極（アドレス電極）に、駆動電圧（放電電圧）を供給する。ＰＤＰパネル２３内では、ガラス基板内に設けられた表示電極（Ｘ電極）、表示電極（Ｙ電極）およびＤＡＴＡ電極（アドレス電極）に、駆動電圧（放電電圧）が印加されることにより、各セル内で維持放電が発生し、維持放電により発生した紫外線が各セルに塗布された蛍光体（Ｒ／Ｇ／Ｂ）を励起し、発光する。これにより、入力映像信号に応じた映像が表示されるようになる。
【００２５】
映像表示機器１００内の各部は、マイコン１０によって制御される。映像表示機器１００内の各部の電源は、電源回路５によって生成される。電源回路５には、ＡＣ電源８が供給される。
【００２６】
映像表示機器の全体的な逆γ補正特性は、映像信号処理回路４内の逆γ補正回路４ａの逆γ補正特性と、ＰＤＰモジュール２０のLogic Board ２１内の逆γ補正回路２１ａの逆γ補正特性とによって決定される。この実施例では、ＰＤＰモジュール２０のLogic Board ２１内の逆γ補正回路２１ａの逆γ補正特性は固定されおり、映像信号処理回路４内の逆γ補正回路４ａの逆γ補正特性を変化させることにより、映像表示機器の全体的な逆γ補正特性を変化させるように構成されている。
【００２７】
上述したように、デジタル放送の無信号時にチャンネルバナー表示映像が表示される場合やＡＶ入力（またはＰＣ入力）の無信号時に映像メニューが表示される場合には、チャンネルバナー表示映像領域または映像メニュー表示領域が規則的な模様状に発光するといった現象が発生するという問題がある。
【００２８】
本出願人は、この実施例では、この問題を解消するために、デジタル放送の無信号時およびＡＶ入力（またはＰＣ入力）の無信号時には、映像信号処理回路４内の逆γ補正回路４ａの逆γ補正特性を変化させることにより、映像表示機器の全体的な逆γ補正特性を通常時の特性とは異なる特性に変更するようにしている。
【００２９】
映像表示機器の全体的な逆γ補正特性としては、通常は、図２に曲線Ｓ１で示される第１の逆γ補正特性（Ganma2.2) が設定されている。デジタル放送の無信号時およびＡＶ入力（またはＰＣ入力）の無信号時には、予めデジタル放送の無信号時のバナー表示部や、ＡＶ入力（またはＰＣ入力）の無信号時の映像メニュー表示部で、模様状の表示が発生しないような特性に変更せしめられる。この実施例では、デジタル放送の無信号時およびＡＶ入力（またはＰＣ入力）の無信号時には、映像表示機器の全体的な逆γ補正特性は図２に曲線Ｓ２で示される第２の逆γ補正特性（Ganma2.6) に変更せしめられる。
【００３０】
なお、デジタル放送が無信号状態であるか否かは、デジタルチューナ２の監視結果に基づいて、マイコン１０が判別する。つまり、視聴対象の映像ソースとしてデジタル放送が選択された場合には、デジタルチューナ２は、現在選局されているサービスについて、デジタル放送映像があるかないかを監視するとともに、データ放送が放送中であるか否かを監視し、その監視結果をマイコン１０に出力する。マイコン１０は、デジタル放送映像がなしでかつデータ放送が放送中でない場合にデジタル放送が無信号状態であると判別し、それ以外の場合にはデジタル放送が受信状態であると判別する。
【００３１】
ＡＶ入力（またはＰＣ入力）が無信号状態であるか否かは、入力信号切り替え回路３の監視結果に基づいて、マイコン１０が判別する。つまり、視聴対象の映像ソースとしてＡＶ入力（またはＰＣ入力）が選択された場合には、入力信号切り替え回路３は、ＡＶ入力（またはＰＣ入力）の同期信号の周期が選択された映像ソースに応じた周期と一致するか否かを監視し、その監視結果をマイコン１０に出力する。マイコン１０は、同期信号の周期が選択された映像ソースに応じた周期と一致しない場合に、ＡＶ入力（またはＰＣ入力）が無信号状態（非同期）であると判別し、同期信号の周期が選択された映像ソースに応じた周期に一致する場合にはＡＶ入力（またはＰＣ入力）が信号有り状態（同期）であると判別する。
【００３２】
図３は、デジタル放送、ＡＶ入力（またはＰＣ入力）、デジカメ再生、アナログ放送毎に、信号状態とその信号状態に応じて設定される逆ガンマ補正特性との関係を示している。
【００３３】
視聴対象の映像ソースとしてデジタル放送が選択されている場合において、信号状態が”受信状態”である場合には映像表示機器の全体的な逆γ補正特性として第１の逆γ補正特性が設定され、信号状態が”無信号状態”である場合には映像表示機器の全体的な逆γ補正特性として第２の逆γ補正特性が設定される。
【００３４】
視聴対象の映像ソースとしてＡＶ入力（またはＰＣ入力）が選択されている場合において、信号状態が”同期”つまり信号有りの状態である場合には映像表示機器の全体的な逆γ補正特性として第１の逆γ補正特性が設定され、信号状態が”非同期”つまり無信号状態である場合には映像表示機器の全体的な逆γ補正特性として第２の逆γ補正特性が設定される。
【００３５】
視聴対象の映像ソースとしてデジカメ再生やアナログ放送が選択されている場合には、無信号状態においても背景全体が黒にならないため、信号状態に係わらず、第１の逆ガンマ補正特性が設定される。
【００３６】
図４は、マイコン１０による逆γ補正特性制御処理手順を示している。
【００３７】
まず、現在選択されている視聴対象の映像ソースを判別する（ステップＳ１）。具体的には、現在選択されている視聴対象の映像ソースが、（ａ）デジタル放送、（ｂ）ＡＶ入力（またはＰＣ入力）、（ｃ）デジカメ再生、（ｄ）アナログ放送のいずれかであるかを判別する。
【００３８】
現在選択されている視聴対象の映像ソースがデジタル放送である場合には（ステップＳ２）、デジタルチューナ２の監視結果（デジタル放送映像の有無およびデータ放送の有無）に基づいて、現在選局されているサービスのデジタル放送が受信状態であるか無信号状態であるかを判別する（ステップＳ３）。
【００３９】
現在選局されているサービスのデジタル放送が受信状態であると判別した場合には、映像表示機器の全体的な逆γ補正特性として第１の逆γ補正特性を設定した後（ステップＳ４）、ステップＳ１に戻る。
【００４０】
上記ステップＳ３において、現在選局されているサービスのデジタル放送が無信号状態であると判別した場合には、映像表示機器の全体的な逆γ補正特性として第２の逆γ補正特性を設定した後（ステップＳ５）、ステップＳ１に戻る。なお、この実施例では、映像表示機器の全体的な逆γ補正特性の変更は、映像信号処理回路４内の逆γ補正回路４ａの逆γ補正特性を変化させることにより、行なわれる。
【００４１】
上記ステップＳ１において、現在選択されている視聴対象の映像ソースがＡＶ入力（またはＰＣ入力）であると判別した場合には（ステップＳ６）、入力信号切り替え回路３の監視結果（ＡＶ入力（またはＰＣ入力）の同期信号の周期が選択された映像ソースに応じた周期と一致するか否かの監視結果）に基づいて、現在選択されているＡＶ入力（またはＰＣ入力）が信号有り状態（同期）であるか無信号状態（非同期）であるかを判別する（ステップＳ７）。
【００４２】
現在選択されているＡＶ入力（またはＰＣ入力）が信号有り状態（同期）であると判別した場合には、映像表示機器の全体的な逆γ補正特性として第１の逆γ補正特性を設定した後（ステップＳ８）、ステップＳ１に戻る。
【００４３】
上記ステップＳ７において、現在選択されているＡＶ入力（またはＰＣ入力）が無信号状態（非同期）であると判別した場合には、映像表示機器の全体的な逆γ補正特性として第２の逆γ補正特性を設定した後（ステップＳ９）、ステップＳ１に戻る。                  
【００４４】
上記ステップＳ１において、現在選択されている視聴対象の映像ソースがデジカメ再生であると判別した場合には（ステップＳ１０）、映像表示機器の全体的な逆γ補正特性として第１の逆γ補正特性を設定した後（ステップＳ１１）、ステップＳ１に戻る。
【００４５】
上記ステップＳ１において、現在選択されている視聴対象の映像ソースがアナログ放送であると判別した場合には（ステップＳ１２）、映像表示機器の全体的な逆γ補正特性として第１の逆γ補正特性を設定した後（ステップＳ１３）、ステップＳ１に戻る。
【００４６】
上記実施例では、第２の逆γ補正特性として、図２に曲線Ｓ２で示される第２の逆γ補正特性（Ganma2.6) を用いているが、第２の逆γ補正特性として、図５に曲線Ｓ３で示される逆γ補正特性を用いるようにしてもよい。図５に曲線Ｓ３で示される逆γ補正特性を用いた場合には、低階調部の入力信号が強制的に０（黒）にされる。このように低階調部の入力信号が強制的に０（黒）にされると、低階調部の階調表現を補強するために行なわれる誤差拡散処理やディザ処理の効果がなくなるため、誤差拡散処理やディザ処理に起因する模様が現れなくなる。
【００４７】
また、第２の逆γ補正特性として、図６に曲線Ｓ４で示される逆γ補正特性を用いるようにしてもよい。図６に曲線Ｓ４で示される逆γ補正特性を用いた場合には、入力信号の黒に対応する低階調部（この例では、５階調以下の低階調部）の出力階調が、第１の逆γ補正特性を用いた場合に比べて高くなる。したがって、画面の背景が黒の場合、黒背景の輝度が高くなるため、画面全体に対して誤差拡散処理やディザ処理が行なわれるようになり、誤差拡散処理やディザ処理に起因する模様が現れなくなる。
【００４８】
上記実施例では、映像表示機器の全体的な逆γ補正特性の変更は、映像信号処理回路４内の逆γ補正回路４ａの逆γ補正特性を変化させることにより行なわれているが、Logic Board ２１内の逆γ補正回路２１ａの逆γ補正特性を変化させることにより映像表示機器の全体的な逆γ補正特性を変更させるようにしてもよいし、映像信号処理回路４内の逆γ補正回路４ａおよびLogic Board ２１内の逆γ補正回路２１ａの両方の逆γ補正特性を変化させることにより映像表示機器の全体的な逆γ補正特性を変更させるようにしてもよい。
【００４９】
なお、ＰＤＰモジュールが、ＰＤＰモジュール内のLogic Board （映像信号出力処理部）で行なわれる誤差拡散処理やディザ処理をＯＮ／ＯＦＦできる機能を備えている場合には、デジタル放送の無信号時およびＡＶ入力（またはＰＣ入力）の無信号時に、ＰＤＰモジュール内のLogic Board （映像信号出力処理部）で行なわれる誤差拡散処理やディザ処理をＯＦＦさせるようにしてもよい。この場合には、逆γ補正特性を制御する必要はない。
【図面の簡単な説明】
【００５０】
【図１】映像表示機器の構成を示すブロック図である。
【図２】通常時に用いられる逆γ補正特性（第１の逆γ補正特性）と、デジタル放送の無信号時およびＡＶ入力（またはＰＣ入力）の無信号時に用いられる逆γ補正特性（第２の逆γ補正特性）との一例を示すグラフである。
【図３】デジタル放送、ＡＶ入力（またはＰＣ入力）、デジカメ再生、アナログ放送毎に、信号状態とその信号状態に応じて設定される逆ガンマ補正特性との関係を示す表である。
【図４】マイコン１０による逆γ補正特性制御処理手順を示すフローチャートである。
【図５】デジタル放送の無信号時およびＡＶ入力（またはＰＣ入力）の無信号時に用いられる逆γ補正特性（第２の逆γ補正特性）の他の例を示すグラフである。
【図６】デジタル放送の無信号時およびＡＶ入力（またはＰＣ入力）の無信号時に用いられる逆γ補正特性（第２の逆γ補正特性）のさらに他の例を示すグラフである。
【符号の説明】
【００５１】
１  アナログチューナ
２  デジタルチューナ
３  入力信号切り替え回路
４  映像信号処理回路
４ａ  逆γ補正回路
１０  マイコン
２０  ＰＤＰモジュール
２１  Logic Board （映像信号出力処理部）
２１ａ  逆γ補正回路
２２  ＰＤＰパネル駆動回路
２３  ＰＤＰパネル
１００  映像表示機器
【図１】
2007114306.tif 000003
【図２】
2007114306.tif 000004
【図３】
2007114306.tif 000005
【図４】
2007114306.tif 000006
【図５】
2007114306.tif 000007
【図６】
2007114306.tif 000008